(57)【要約】【課題】映像コンテンツに関連付けるテキスト情報の作成を支援することにより共有される情報の質を向上し、以てシステムの利便性を向上する。【解決手段】映像コンテンツの識別子及び該映像コンテンツの第１のシーンの時刻を有するリンクを少なくとも１つ含む第１のテキスト情報を第１の記憶手段に記憶する。前記第１のシーンのリンク近辺の文字列に基づくシーン描写を前記第１のテキスト情報から文字列処理により抽出する。前記シーン描写を前記第１のシーンのリンクと共に第２の記憶手段に記憶する。前記映像コンテンツの第２のシーンのリンクを含む第２のテキスト情報の作成を行う。前記第１のシーンのリンクを指定することにより前記第２の記憶手段から前記シーン描写を取得する。前記第２のテキスト情報の作成において前記シーン描写を表示する。【選択図】図１
2010079577.tif 000002
【特許請求の範囲】
【請求項１】
映像コンテンツの識別子及び該映像コンテンツの第１のシーンの時刻を有するリンクを少なくとも１つ含む第１のテキスト情報を第１の記憶手段に記憶するステップと、
前記第１のシーンのリンク近辺の文字列に基づくシーン描写を前記第１のテキスト情報から文字列処理により抽出するステップと、
前記シーン描写を前記第１のシーンのリンクと共に第２の記憶手段に記憶するステップと、
前記映像コンテンツの第２のシーンのリンクを含む第２のテキスト情報の作成を行うステップと、
前記第１のシーンのリンクを指定することにより前記第２の記憶手段から前記シーン描写を取得するステップと、
前記第２のテキスト情報の作成において前記シーン描写を表示するステップとを具備することを特徴とするテキスト情報共有方法。
【請求項２】
前記シーン描写は前記映像コンテンツの字幕情報を要素とするシーン描写を含み、
前記第２のテキスト情報において字幕に関係する文字列が記述された際に、前記字幕情報を要素とするシーン描写を表示することを特徴とする請求項１記載のテキスト情報共有方法。
【請求項３】
前記第２の記憶手段から取得したシーン描写を前記第２のテキスト情報に適合する別のシーン描写に変換するステップをさらに具備することを特徴とする請求項１記載のテキスト情報共有方法。
【請求項４】
前記第２のテキスト情報から抽出した文の主語に一致するように、前記シーン描写が表す文の主語を変換することを特徴とする請求項３記載のテキスト情報共有方法。
【請求項５】
映像コンテンツの識別子及び該映像コンテンツの第１のシーンの時刻を含むリンクを少なくとも１つ含む第１のテキスト情報を記憶する第１の記憶手段と、
前記第１のシーンのリンク近辺の文字列に基づくシーン描写を前記第１のテキスト情報から文字列処理により抽出する抽出手段と、
前記シーン描写を前記第１のシーンのリンクと共に記憶する第２の記憶手段と、を具備することを特徴とするサーバ装置。
【請求項６】
映像コンテンツの識別子及び該映像コンテンツのシーンの時刻を有するリンクを少なくとも１つ含むテキスト情報を作成する手段と、
前記リンクを指定することにより、前記シーンのシーン描写をサーバ装置から取得する手段と、
前記テキスト情報の作成において前記シーン描写を表示する手段とを具備することを特徴とするクライアント装置。
【請求項７】
コンピュータを、
映像コンテンツの識別子及び該映像コンテンツのシーンの時刻を有するリンクを少なくとも１つ含むテキスト情報を作成する手段、
前記リンクを指定することにより、前記シーンのシーン描写をサーバ装置から取得する手段、
前記テキスト情報の作成において前記シーン描写を表示する手段として機能させるためのプログラム。
【発明の詳細な説明】
【技術分野】
【０００１】
本発明は、映像コンテンツなどのマルチメディアデータへのリンクを持つテキスト情報を共有するテキスト情報共有方法、サーバ装置及びクライアント装置に関する。
【背景技術】
【０００２】
映像コンテンツ自体を共有する動画共有システムや、映像コンテンツに対する感想や意見等のコメントを電子的なテキスト情報として記述しブログや掲示板などのネットワーク上で公開することは一般的であり広く知られているが、録画したテレビ放送番組やＤＶＤ等の映像コンテンツ自体は共有せず、該映像コンテンツのシーンにテキスト情報を関連付けて閲覧者間で共有するメタデータ共有システムが下記特許文献１に開示されている。このシステムでは、映像コンテンツを所有していない閲覧者はその映像コンテンツを閲覧することはできず、テキスト情報だけしか閲覧できないようになっている。
【特許文献１】特開２００４−１９３８７１公報
【発明の開示】
【発明が解決しようとする課題】
【０００３】
上述した特許文献１に開示されたシステムにおいては、映像コンテンツのシーンへのリンクを埋め込むことによりテキスト情報を映像コンテンツのシーンに関連付けることができるものであるが、リンク先のシーンの描写が情報として与えられないことから、閲覧しているテキスト情報がどのシーンについての記述なのかを閲覧者が理解することは容易ではない。従って、テキスト情報を閲覧するだけで、それが対象とする映像コンテンツのどのシーンについての記述なのかを明確にし、閲覧者に伝えることが好ましい。
【０００４】
本発明はかかる事情を考慮してなされたものであり、映像コンテンツに関連付けるテキスト情報の作成を支援することにより共有される情報の質を向上し、以てシステムの利便性を向上することを目的とする。
【課題を解決するための手段】
【０００５】
本発明の一観点に係るテキスト情報共有方法は、映像コンテンツの識別子及び該映像コンテンツの第１のシーンの時刻を有するリンクを少なくとも１つ含む第１のテキスト情報を第１の記憶手段に記憶するステップと、前記第１のシーンのリンク近辺の文字列に基づくシーン描写を前記第１のテキスト情報から文字列処理により抽出するステップと、前記シーン描写を前記第１のシーンのリンクと共に第２の記憶手段に記憶するステップと、前記映像コンテンツの第２のシーンのリンクを含む第２のテキスト情報の作成を行うステップと、前記第１のシーンのリンクを指定することにより前記第２の記憶手段から前記シーン描写を取得するステップと、前記第２のテキスト情報の作成において前記シーン描写を表示するステップとを具備することを特徴とする。
【発明の効果】
【０００６】
本発明によれば、既に共有されているテキスト情報からリンク先のシーンの描写を抽出して蓄積することができる。そしてテキスト情報を作成する際に、リンク先のシーンを描写する記述の候補を提示し、または自動的に挿入することができるためテキスト情報作成を支援することができる。テキスト情報を閲覧のみ行う場合であっても、抽出されているリンク先のシーンの描写を提示することで、映像コンテンツを参照しなくてもどのシーンについての記述であるのかを閲覧者が容易に理解できるようになる。
【発明を実施するための最良の形態】
【０００７】
以下、本発明の実施の形態を図面を参照して詳細に説明する。
【０００８】
（第１の実施形態）
図１は、本発明の一実施形態に係るテキスト情報共有システムの構成を示すブロック図である。少なくとも一台のサーバＳと、少なくとも一台のクライアントＣとがネットワークＮを介して接続されることにより本システムは構成される。なお、図１には説明を簡単にするためサーバＳとクライアントＣをそれぞれ一台ずつ示しているが両者は複数であってもよい。ネットワークＮは例えばインターネットである。本実施形態はサーバＳ及びクライアントＣが提供する機能をコンピュータを用いて実現するための一つ又はそれぞれ個別のプログラムとして実施してもよい。
【０００９】
サーバＳは、テキスト情報共有部１００１、シーン描写抽出部１００２、シーン描写蓄積部１００３、シーン描写抽出ルール１００８を備え、クライアントＣは、テキスト情報作成部１００４、テキスト情報表示部１００５、映像コンテンツ再生部１００６、シーン描写表示部１００７を備える。
【００１０】
サーバＳのテキスト情報共有部１００１では、映像コンテンツのシーンに関連付けられたテキスト情報が記憶され、これがユーザ間で共有されるようになっている。ここでいう「共有」とは、掲示板やブログサーバなどを通じてテキスト情報をネットワークＮ上に公開し、他のユーザ（クライアントＣ）に対してデータ取得、閲覧等が可能な状態にすることをいう。すなわち、テキスト情報共有部１００１は掲示板やブログサーバの機能を実現する部分である。
【００１１】
本システムは、映像コンテンツは共有せずに、映像コンテンツのシーンと関連付けられたテキスト情報を共有するシステムである。クライアントＣでは、録画したテレビ放送やＤＶＤやＶＯＤなどの映像コンテンツに対して、ユーザがその関連情報、感想あるいは意見（コメント）等を電子的なテキスト情報の形式で記述する。クライアントＣにおいて新規に作成又は編集されたテキスト情報はサーバＳに送信（投稿）され、テキスト情報共有部１００１を通じてネットワークＮ上での共有（公開）に供される。
【００１２】
クライアントＣにおいてテキスト情報を新規に作成又は編集する際に、そのテキスト情報内に、映像コンテンツの該当するシーンへのリンク（「シーンリンク」という）を埋め込むようになっている。ここで、「シーン」とは、該映像コンテンツ内でテキスト情報を関連付けようとする任意のシーンのことである。映像コンテンツ内のシーンは例えば時刻により識別される。上記リンク（シーンリンク）は、映像コンテンツの識別子（ＩＤ）及び該映像コンテンツの上記シーンの時刻を含む情報である。
【００１３】
これにより、そのテキスト情報がどのシーンについて記述されたものであるのかを明確に閲覧者に伝えることができる。ここで、リンク先のシーンの描写をユーザがテキスト情報内に記述しておくようにすれば、従来のようにテキスト情報を読むだけではどのシーンについての記述なのか分かりづらくなるという問題が回避され、好ましい。そこで本システムは、このようなシーン描写を含んだテキスト情報をユーザが簡単に作成できるよう支援する。
【００１４】
図２は、このような本実施形態に係るテキスト情報共有システムの基本的な処理手順を示す図である。具体的な処理手順については後述する。まずサーバＳにおいては、共有しているテキスト情報からシーン描写を抽出し（ステップＳ１）、蓄積している（ステップＳ２）。そして、ユーザからの操作指示に従って所望のシーンに対するテキスト情報を追加する際に、クライアントＣにおいては次のように処理が行われる。まず映像コンテンツ中の所望時刻（シーン）を表示させ（ステップＳ３）、該所望時刻（シーン）に対するシーンリンクを新規に作成するテキスト情報に挿入する（ステップＳ４）。これにより該テキスト情報は、映像コンテンツの所望時刻（シーン）に紐付けられる。次に、該映像コンテンツ及び該所望時刻（シーン）を識別する情報をサーバＳに送り、その応答として、対応するシーン描写を取得し、これをユーザに対して提示する（ステップＳ５）。シーン描写は、該当するシーンがどのようなシーンであるかを文字列等で表したものであり、これがディスプレイを用いて提示される。これによりユーザはテキスト情報にシーン描写を含める作業の負担が大幅に軽減される。テキスト情報がシーンリンクのみならずシーン描写をも含んでいることにより、該テキスト情報が表示された際に、ユーザは、該テキスト情報がどのようなシーンに対するものであるかを素早く把握できる。
【００１５】
後述する具体的な実施形態では、サーバＳから提示されたシーン描写のリストから適切なものを一つ選択すると、該シーン描写がテキスト情報に自動的に挿入される。
【００１６】
次に、シーン描写を含むテキスト情報をユーザが編集し、完成すると（ステップＳ６）、クライアントＣはシーンリンク及びシーン描写を含むテキスト情報をサーバＳに送信（投稿）する（ステップＳ７）。サーバＳはこれを受信し、蓄積する。これにより新たに追加されたテキスト情報はネットワークＮを通じてアクセスする複数のユーザ間で共有されることになる（ステップＳ８）。
【００１７】
以下、本実施形態に係るテキスト情報共有システムについて詳細に説明する。
【００１８】
テキスト情報共有部１００１で共有されているテキスト情報を、クライアントＣのテキスト情報表示部１００５で表示する場合の画面例を図３に示す。図３の紙面左上の領域は、映像コンテンツの再生部１００６の処理機能に対応しており、残りの領域は、テキスト情報表示部１００５の処理機能によるものである。この画面例は、映像コンテンツ閲覧のためのコンテンツ表示部１６００１と、映像コンテンツの再生、一時停止、再生速度の調整等の操作を行うためのコンテンツ操作部１６００２と、共有されているテキスト情報を表示するテキスト情報表示ウィンドウ１６００４とを有している。
【００１９】
テキスト情報表示ウィンドウ１６００４には、共有されているテキスト情報の例として、３人のユーザ（ｕｓｅｒ）から提供されたテキスト情報１６００３１，１６００３２，１６００３３が表示されている。すなわち、テキスト情報１６００３１は「○○」というユーザが記述したものであり、テキスト情報１６００３２は「○×」という別のユーザが記述したものであり、テキスト情報１６００３３は「××」というさらに別のユーザが記述したものである。それぞれのテキスト情報には、対応するシーンへのシーンリンク１６００５が含まれており、このシーンリンク１６００５が示す映像がコンテンツ表示部１６００１に表示される時に、対応するテキスト情報１６００３１がテキスト情報表示ウィンドウ１６００４内に現れる。共有されるテキスト情報は、上述したように、映像コンテンツに関する関連情報、感想あるいは意見（コメント）等であり、具体例としては、ブログ記事として投稿される映像コンテンツのレビュー記事である。この記事が映像コンテンツのシーンと関連付けられる。
【００２０】
このようなテキスト情報を作成するための画面例を図４に示す。図４の紙面左上の領域は、映像コンテンツの再生部１００６の処理機能に対応しており、残りの領域は、テキスト情報表示部１００５、テキスト情報作成部１００４、及びシーン描写表示部１００７等の処理機能によるものである。この画面例は、図示しないメニュー画面等においてユーザがテキスト情報の作成（レビュー記事の投稿）を選択した際に表示され、映像コンテンツ閲覧のためのコンテンツ表示部２００１と、映像コンテンツの再生、一時停止、再生速度の調整等の操作を行うためのコンテンツ操作部２００２と、ユーザがテキスト情報を作成又は編集する際に用いられるテキスト情報編集部２００４と、映像コンテンツのシーンへのリンクをテキスト情報に挿入する指示をユーザが本システムに与えるためのリンク挿入ボタン２００３と、作成されたテキスト情報をテキスト情報共有部１００１へ送信する指示をユーザが本システムに与えるためのテキスト情報送信ボタン２００６を備える。ここでは図示していないが、本システムは、ユーザがボタン２００３，２００６を選択するためのマウスや、テキスト情報を作成するための文字を入力するキーボードなどのテキスト入力装置を備える。
【００２１】
ユーザはコンテンツ操作部２００２により映像コンテンツの再生時刻を操作し、シーンへのリンクを挿入したい時刻を表示させると共にリンク挿入ボタン２００３を押すことにより、テキスト情報編集部２００４における現在のカーソルの位置にシーンへのリンクを挿入することができる。挿入されたリンクは、図４の例ではシーンリンク２００５として表示されている。
【００２２】
図４においてシーンリンク２００５はアイコンで表示されているが、映像コンテンツを識別することができるコンテンツＩＤと、映像コンテンツのリンク先の時刻の情報を持つ。
【００２３】
また、図４においてテキスト情報を作成する際に、テキスト情報編集部２００４におけるカーソルの位置にシーンへのリンクを挿入するとしたが、紐付けるシーンとテキスト情報が１対１の場合には、カーソルの位置でなくてもよく、表示もアイコンで表示する必要はない。例えば、テキスト情報編集部２００４で編集中のテキスト情報が全体としてある１つのシーンに対応づけられている場合である。ユーザは複数のシーンに対してコメントする場合には、１対１に紐付けられたテキスト情報をシーン毎に複数作成することで実現できる。
【００２４】
図５は、このようなシーンリンクの具体例を示す図である。この図５に示すシーンリンクは、コンテンツＩＤ３００１、代表時刻（ｍａｉｎｔｉｍｅ）３００２、開始時刻（ｉｎｔｉｍｅ）３００３、終了時刻（ｏｕｔｔｉｍｅ）３００４を有する。これは、コンテンツＩＤ「１２３４」により識別される映像コンテンツの先頭から１２０００ミリ秒後を開始時刻とし、該映像コンテンツの先頭から２００００ミリ秒後を終了時刻とするシーンへのリンクであり、代表となるシーンは先頭から１５０００ミリ秒時点であることがわかる。この代表となるシーン指定に用いられる代表時刻は、シーンリンク２００５をアイコンで表示する代わりにシーンのサムネイルで表示を行う場合の時刻として利用することができる。
【００２５】
サムネイルには、静止画サムネイルと動画サムネイルがある。図５のシーンリンクに基づいて動画サムネイルを表示する場合には、開始時刻３００３から終了時刻３００４まで時刻にしたがって動画のサムネイルが表示される。図５のシーンリンクに基づいて静止画サムネイルを表示する場合は、開始時刻３００３から終了時刻３００４まで代表時刻３００２での静止画のサムネイルが表示される。開始時刻３００３と終了時刻３００４は、例えば、それぞれ代表時刻３００２のＮ秒前、Ｎ秒後（Ｎ：自然数）とするように自動的に設定されてもよい。
【００２６】
なお、図５の例は、代表時刻３００２、開始時刻３００３、終了時刻３００４の３つの時刻を指定するものであるが、これらに同一の値を設定しても良い。同一の時刻である場合には、後述する映像コンテンツとコメントとを同期させて表示する場合にシーンを開始する時刻として用いれば良い。この場合は、シーンリンクはこの代表時刻、開始時刻、終了時刻のどれか１つだけで構成されていても良い。図５の例で３つの時刻を指定する場合は、図４においてリンク挿入ボタン２００３だけでなく、３つの時刻を指定するインターフェースを持つ。例えば３つの時刻をそれぞれ指定する３つのボタンがあってもよいし、３つの時刻を直接数字で入力しても良い。
【００２７】
また、動画サムネイルと静止画サムネイルとではシーンリンク情報における記述内容が異なるようにしてもよく、シーンリンク情報における時刻の記述内容に応じて、動画サムネイルと静止画サムネイルのどちらを表示するかを切り替えてもよい。例えば、図５に示すように開始時刻３００３と終了時刻３００４が記述されている場合には動画サムネイルが表示され、図６に示すように開始時刻３００３と終了時刻３００４が設定されておらず、代表時刻４００２のみが記述されている場合には静止画サムネイルが表示されるとしてもよい。
【００２８】
さらに、図５、図６には示していないが、静止画サムネイルであるか動画サムネイルであるかを示す指標がシーンリンク情報に付加されていてもよい。これらのシーンリンク情報の記述は、ユーザがテキスト情報共有部１００１にテキスト情報を書き込むときに指定する。
【００２９】
以下の説明では、簡単のためにシーンリンクは、これらの３つの時刻の値は同じであることを仮定し、図６のようにリンク先を示す１つだけの時刻を持つ場合を想定する。
【００３０】
サーバＳのテキスト情報共有部１００１は、このような映像コンテンツのシーンに関連付けられたテキスト情報（シーンリンク情報を含む）を多数保持し、ユーザ間で共有している。ユーザはこれらのテキスト情報をクライアントＣにダウンロードし、テキスト情報表示部１００５で閲覧することができる。
【００３１】
サーバＳのシーン描写抽出部１００２は、テキスト情報共有部１００１からテキスト情報を取得して全てのシーンリンク情報を抽出し、さらにシーンリンク情報の近辺に記述されているシーン描写を抽出する。抽出されたシーン描写はシーン描写蓄積部１００３に蓄積する。シーンリンク情報からはコンテンツＩＤと時刻（さらに場合によっては開始時刻および終了時刻）が抽出されてシーン描写蓄積部１００３に蓄積される。
【００３２】
このようなサーバＳにおけるシーン描写の抽出処理手順を図７のフローチャートを参照しながら説明する。この処理手順はシーン描写抽出部１００２が実行する。
【００３３】
ステップＳ５０１において、テキスト情報共有部１００１に蓄積されているテキスト情報から未処理のテキスト情報を選択する。未処理のテキスト情報を選択するタイミングとしては、新たなテキスト情報がテキスト情報共有部１００１に登録されたときでもよいし、１日１回など定期的にテキスト情報共有部１００１に蓄積されているテキスト情報を処理してもよい。シーン描写の抽出処理はテキスト情報共有部１００１に蓄積されているテキスト情報のそれぞれに適用されて、全ての未処理テキスト情報が処理される。
【００３４】
シーンリンクが含まれているテキスト情報の例を図８に示す。この図８に示すテキスト情報ではシーンリンクは１つであるが、一般的に１つのテキスト情報には複数のシーンリンクが含まれていることがある。そこでステップＳ５０２では、処理中のテキスト情報に含まれる全てのシーンリンク情報を処理したかどうかを判定する。ステップＳ５０３においては、その１つのシーンリンク情報を選択する。
【００３５】
次に、ステップＳ５０４ではシーン描写候補を抽出する。具体的には、テキスト情報からシーンリンク情報の近辺の文字列等を抽出する文字列処理を行ってシーン描写候補を得る。この処理では、シーンリンク情報からある一定文字数以内の記述を抽出してもよいし、シーンリンク情報が含まれている１文を抽出しても良い。またシーンリンクとテキスト情報が１対１に紐付けられている場合には、シーン描写候補としてテキスト情報全体を用いればよく、ステップＳ５０４自体が無くてもよい。ここでは、シーンリンク情報が含まれている１文を抽出してシーン描写候補とする例で説明する。図８のテキスト情報から抽出されたシーン描写候補の例を図９に示す。
【００３６】
次に、ステップＳ５０５においてシーン描写候補からシーン記述を抽出する。シーン描写の抽出はシーンリンク情報の近辺にある記述からルールを用いて行う。このシーン描写を抽出するルールは、シーン描写抽出ルール１００８としてサーバＳにあらかじめ格納されている。
【００３７】
シーン描写候補をシーン描写抽出ルールに蓄積されているシーン描写抽出ルールの例を表１に示す。
【表１】
2010079577.tif 000003
【００３８】
表１に示すように、シーン描写抽出ルールはルール番号、ルール表記、シーン描写を有する。ルール表記では、「．」が任意の文字、「＊」が１回以上の繰り返しを表す。シーン描写では、「＄１」はルール表記の「（）」の内部と適合した部分を表し、「．＊が．＊ているシーン」がシーン描写となる。
【００３９】
表１のルールを用いて図９のシーン描写候補からシーン描写を抽出した結果を図１０に示す。この例では、ルール番号１と適合し、ルール表記とは「主人公が海でイルカと戯れている」が適合している。シーン描写では、ルール表記と適合する部分を＄１とし、その部分に「シーン」を付け加えた「主人公が海でイルカと戯れているシーン」がシーン描写となる。
【００４０】
このようにしてテキスト情報から抽出されたシーン描写は、ステップＳ５０６において、シーンリンク情報から抽出したコンテンツＩＤ、時刻と共にシーン描写蓄積部１００３に蓄積される。
【００４１】
シーン描写蓄積部１００３に蓄積されているシーン描写の例を表２に示す。なお、表２に示されるシーン描写は、表１に示したもの以外のルールにより抽出されたものも含んでいる。
【表２】
2010079577.tif 000004
【００４２】
シーン描写抽出ルールは、ラベルを持つこともできる。ラベルを持ったシーン描写抽出ルールの例を表３に示す。
【表３】
2010079577.tif 000005
【００４３】
この例では、ルール番号１および２のルールは「情景描写」というラベルを持つ。
【００４４】
ルール番号３は「セリフ」というラベルを持つ。
【００４５】
どのルールに適合したかによって、抽出されたシーン描写にはそれぞれのラベルが付与される。ラベルが付与されたシーン描写抽出結果の例を表４に示す。
【表４】
2010079577.tif 000006
【００４６】
表４では、コンテンツＩＤが「１００１」であって「○○が「弱いものいじめなんて」と言うシーン」というシーン描写に、「セリフ」というラベルが付与されている。これ以外のシーン描写にはラベル「情景描写」が付与されている。このラベルは後述するシーン描写表示部１００７によって、シーン描写が選択されるときに利用される。
【００４７】
次に、シーンリンクの挿入に伴いシーン描写をサーバＳからダウンロードしてクライアントＣにおいて提示する処理手順を図１１のフローチャートを参照しながら説明する。この処理では、映像コンテンツにテキスト情報を関連付けるためにユーザがリンク挿入ボタン２００３を押してシーンリンクをテキスト情報に挿入すると、そのシーンについてのシーン描写の候補をユーザに提示することができる。
【００４８】
テキスト情報の作成は図４に示すような画面で行う。図４においてユーザがテキスト情報を記述する際にシーンリンクを挿入する。図１１のステップＳ１１０１では、このシーンリンクの挿入を検知する。次にステップＳ１１０２において、挿入されたシーンリンクから、第１のコンテンツＩＤと第１の時刻を抽出し、ステップＳ１１０３において、第１のコンテンツＩＤと第１の時刻をサーバＳに送信する。サーバＳはこれに応答し、シーン描写蓄積部１００３に蓄積されているシーン描写のうち、コンテンツＩＤが第１のコンテンツＩＤと同じであって時刻が第１の時刻と近い複数のシーン描写をシーン描写リストとしてクライアントＣのシーン描写表示部１００７に送信する。ここで、時刻が近いとは、シーン描写蓄積部１００３に蓄積されているシーン描写のうち、時刻が第１の時刻とある一定時間よりも近いシーン描写のことであり、一定時間としては例えば１０秒などを設定することができる。これにより、シーン描写表示部１００７には、ユーザが挿入したシーンリンクのリンク先において他のユーザがどのようにシーンを描写しているかのリストすなわちシーン描写リストがダウンロードされることになる（ステップＳ１１０４）。
【００４９】
ダウンロードしたシーン描写リストを全て表示してユーザが選択できるようにしてもよい。この場合はステップＳ１１０５でのシーン描写リストの絞込みはなされなくとも良い。ステップＳ１１０５でのシーン描写リストの絞込みについては後述する。
【００５０】
ステップＳ１１０６において、シーン描写リストを複数表示してユーザが選択できるように構成した場合の画面例を図１２に示す。ここではリンク挿入ボタン２００３が押されてシーンリンク９００１が挿入されたときに、シーン描写リスト９００２が表示されている。このシーン描写リスト９００２から１つの項目をユーザが選択すると、そのシーン描写がテキスト情報編集部２００４に表示されたテキスト情報に挿入される。従って、ユーザはそのシーン描写を記述する手間が削減される。
【００５１】
ステップＳ１１０５においてシーン描写の絞り込みを行う場合について説明する。シーン描写表示部１００７は、サーバＳからダウンロードしたシーン描写リストから適切なシーン描写を選択することで多数のシーン描写から適切なものを絞り込む。この選択方法としては、テキスト情報編集部２００４を用いて入力されたテキスト情報の一部、例えばシーンリンク周辺でのユーザの記述に基づいて行ってもよい。シーンリンクに続いてユーザが「○○が」と記入した場合には、シーン描写リストの中から、「○○が」が含まれるシーン描写が絞り込まれて、ステップＳ１１０６で図１３の９００２のように提示される。
【００５２】
以上の処理手順では、複数のシーン描写（シーン描写リスト９００２）を提示する旨説明したが、シーン描写が一件しか存在しない場合、又はステップＳ１１０４の処理で１つのシーン描写に絞り込める場合には、テキスト情報編集部２００４に表示されたテキスト情報に（別ウインドウによるシーン描写リスト９００２の表示を経ずに）自動的に挿入しても良い。あるいは、複数のシーン描写のなかから、互いに類似しているシーン描写を一つ選んで自動的に挿入しても良い。
【００５３】
また、シーン描写表示部１００７での絞り込みの例として、テキスト情報編集部２００４において、シーンリンク周辺でユーザが“「”と記述した場合には、ユーザが映像コンテンツでのセリフを記述しようとしていることがわかるため、ラベルが「セリフ」であるものに絞り込んで提示しても良いし、もし１つに絞り込める場合にはテキスト情報に挿入しても良い。
【００５４】
以上説明したようなテキスト情報記述支援により、ユーザは容易にシーン描写を記述することができるようになり、シーン描写が記述されているテキスト情報はリンク先の映像コンテンツを見なくても、テキスト情報の内容を理解することが容易になる。従って、テキスト情報共有システムの利便性が向上する。
【００５５】
（第２の実施形態）
第２の実施形態は上述した第１の実施形態の変形例に係わり、映像コンテンツの字幕情報を利用するよう構成される。図１に示したテキスト情報共有システムの構成において、映像コンテンツ再生部１００６から映像コンテンツの字幕情報が得られる場合には、シーン描写表示部１００７において、表５のようにシーン描写リストに字幕情報を加えるというものである。
【表５】
2010079577.tif 000007
【００５６】
ラベルが「字幕」であるシーン描写において、コンテンツＩＤは字幕情報を得た映像コンテンツのコンテンツＩＤに相当し、時刻は字幕が表示される時刻に相当し、シーン描写は表示される字幕に相当する。
【００５７】
ユーザがテキスト情報編集部２００４を用いてテキスト情報を作成編集している際に、“「”と記述した場合には、セリフを記述しようとしていることがわかる。このとき、シーン描写表示部１００７は、ラベルが「字幕」であるシーン描写を選択し、テキスト情報に挿入する。または、図１２に示したシーン描写リスト９００２のように複数のシーン描写を提示してユーザが選択できるようにする場合には、ラベルが「字幕」であるシーン描写がより上位（例えば最上位）に順序付けされて表示してもよい。
【００５８】
（第３の実施形態）
図１４に本発明の第３の実施形態に係るテキスト情報共有システムの構成をブロック図により示す。第１の実施形態との違いはシーン描写変換部１２００１をさらに備える点である。このシーン描写変換部１２００１の働きについて説明する。サーバＳからシーン描写リストがシーン描写表示部１００７にダウンロードされるまでの動きは第１の実施の形態と同様である。
【００５９】
シーン描写表示部１００７がシーン描写リストを絞り込むときにシーン描写変換部１２００１を利用する。言うまでもなく、異なるユーザが記述したシーン描写は完全に同一とはならない。映像コンテンツのシーンを描写する場合、そのシーンの何に着目してシーンを描写するかによってシーンの描写の仕方には違いが出る。そこで、シーン描写変換部１２００１は、他のユーザが書いたシーン描写を変換することにより、当該テキスト情報を編集中のユーザが記述している記述に適合するようにする。
【００６０】
シーン描写変換部１２００１は、サーバＳからダウンロードしたシーン描写リストのうち、ユーザがテキスト情報編集部２００４に記述した内容に応じてシーン描写を変換する。例えば、ユーザが「○○が」と書いた場合、主語が「○○」である文を書こうとしていることがわかる。この判定処理には、公知の自然言語処理技術（形態素解析、品詞解析、構文解析等）が利用される。
【００６１】
ここで、シーン描写リストの中から「○○」が主語ではないシーン描写があると、「○○」を主語にするようにシーン描写変換部１２００１は当該シーン描写を変換する。具体的には、「××が○○にコテンパンに怒られているシーン」というシーン描写の場合、「○○」を主語にすると「○○が××をコテンパンに怒るシーン」と変換できる。この変換は「○○」を主語にすることで、文が受動態から能動態に変換することで可能である（態の変換処理）。
【００６２】
このようにして、テキスト情報を作成しているユーザが書こうとしている文に合わせてシーン描写を変換して提示することにより、ユーザはシーン描写の記述作業がより簡単になる。
【００６３】
（第４の実施形態）
第４の実施形態は、第１の実施形態でのシーン描写リストの表示方法に関わる。図１５に第４の実施形態に係るテキスト情報共有システムの構成をブロック図で示す。本システムのサーバＳは、テキスト情報共有部１００１、シーン描写抽出部１００２、シーン描写蓄積部１００３、シーン描写抽出ルール１００８を備える。クライアントＣは、テキスト情報表示部１００５とシーン描写表示部１００７のみを備える。
【００６４】
図１６のフローチャートに沿って本実施形態に係るシーン描写表示の処理手順を説明する。先ずステップＳ１４０１において、クライアントＣのテキスト情報表示部１００５にテキスト情報が表示されたかどうかを判断する。表示された場合には次のステップＳ１４０２に進む。ステップＳ１４０２において、選択されたシーンリンクから第２のコンテンツＩＤと第２の時刻を抽出する。これら抽出された第２のコンテンツＩＤと第２の時刻は、ステップＳ１４０３においてサーバＳに送信される。
【００６５】
ステップＳ１４０４において、シーン描写蓄積部１００３に蓄積されているシーン描写のうち、コンテンツＩＤが第２のコンテンツＩＤと同じであり、時刻が第２の時刻と近いシーン描写がシーン描写リストとしてクライアントＣに送信される。クライアントＣは、サーバＳからこのシーン描写リストを受信し、シーンリンクと組にして保持する。ここでのシーン描写リストの選択方法は第１の実施形態と同様である。
【００６６】
ステップＳ１４０５において、全てのシーンリンクが評価されたかどうかが判断され、全てシーンリンクが評価された場合にはステップＳ１４０６に進む。ステップＳ１４０６において、テキスト情報に含まれるシーンリンクの１つをユーザが選択したことを判断する。ユーザによる選択は、例えばテキスト情報表示部１００５に表示されているテキスト情報に含まれるシーンリンクにマウスを重ねることである。次にステップＳ１４０７において、選択されたシーンリンクとの組で保持しているシーン描写リストを提示する。提示されたときの画面例を図１７に示す。
【００６７】
図１７では、選択されたシーンリンク１５００１に対して、ポップアップウィンドウ１５００２によりシーン描写リストが提示されている。このようにテキスト情報ではシーンリンク１５００１のシーン描写が「このシーン」としか書かれていないため、このテキスト情報を閲覧したユーザはどのシーンのことなのかを理解することは困難である。しかし本シーン描写提示装置によりポップアップウィンドウ１５００２のシーン描写が提示されると、シーンリンク１５００１がどのシーンなのかを理解することが容易となる。
【００６８】
以上説明した実施形態によれば、既に共有されているテキスト情報からリンク先のシーンの描写を抽出して蓄積することができる。そしてテキスト情報を作成する際に、リンク先のシーンを描写する記述の候補を提示し、または自動的に挿入することができるためテキスト情報作成を支援することができる。テキスト情報を閲覧のみ行う場合であっても、抽出されているリンク先のシーンの描写を提示することで、映像コンテンツを参照しなくてもどのシーンについての記述であるのかを閲覧者が容易に理解できるようになる。
【００６９】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００７０】
【図１】本発明の一実施形態に係るテキスト情報共有システムの構成を示すブロック図
【図２】テキスト情報共有システムの基本的な処理手順を示す図
【図３】テキスト情報を表示する場合の画面例を示す図
【図４】テキスト情報を作成する場合の画面例を示す図
【図５】シーンリンクの具体例を示す図
【図６】シーンリンクの別の具体例を示す図
【図７】サーバにおけるシーン描写の抽出処理手順を示すフローチャート
【図８】シーンリンクが含まれているテキスト情報の例を示す図
【図９】図８のテキスト情報から抽出されたシーン描写候補の例を示す図
【図１０】図９のシーン描写候補からシーン描写を抽出した結果を示す図
【図１１】シーンリンクの挿入に伴いシーン描写をサーバからダウンロードしてクライアントにおいて提示する処理手順を示すフローチャート
【図１２】シーン描写リストを複数表示してユーザが選択できるように構成した場合の画面例を示す図
【図１３】シーン描写リストの絞り込みを行うように構成した場合の画面例を示す図
【図１４】本発明の第３の実施形態に係るテキスト情報共有システムの構成を示すブロック図
【図１５】本発明の第４の実施形態に係るテキスト情報共有システムの構成を示すブロック図
【図１６】第４の実施形態に係るシーン描写表示の処理手順を示すフローチャート
【図１７】第４の実施形態におけるシーン描写リストの表示画面例を示す図
【符号の説明】
【００７１】
１００１…テキスト情報共有部；
１００２…シーン描写抽出部；
１００３…シーン描写蓄積部；
１００４…テキスト情報作成部；
１００５…テキスト情報表示部；
１００６…映像コンテンツ再生部；
１００７…シーン描写表示部；
Ｓ…サーバ；
Ｎ…ネットワーク；
Ｃ…クライアント
【図１】
2010079577.tif 000008
【図２】
2010079577.tif 000009
【図３】
2010079577.tif 000010
【図４】
2010079577.tif 000011
【図５】
2010079577.tif 000012
【図６】
2010079577.tif 000013
【図７】
2010079577.tif 000014
【図８】
2010079577.tif 000015
【図９】
2010079577.tif 000016
【図１０】
2010079577.tif 000017
【図１１】
2010079577.tif 000018
【図１２】
2010079577.tif 000019
【図１３】
2010079577.tif 000020
【図１４】
2010079577.tif 000021
【図１５】
2010079577.tif 000022
【図１６】
2010079577.tif 000023
【図１７】
2010079577.tif 000024